(57)【要約】【課題】接続部材の巻き込みを抑制できる、接続部材及びユニットルームを、提供する。【解決手段】本発明に係る接続部材１０は、一対の壁パネルどうしの間に配置されるように構成された接続部材であって、一対の壁パネルどうしの間の隙間をユニット内側から覆うように構成された、本体部１１０と、本体部の裏面から、壁パネルに対してユニット外側まで延在するように構成された、脚部１２０と、本体部の裏面からユニット外側へ向かって突出し、壁パネルに対してユニット内側で壁パネルと接触するように構成された、裏面側突起部１３０と、を備えている。【選択図】図２
2019108777.tif 000002
【特許請求の範囲】
【請求項１】
一対の壁パネルどうしの間に配置されるように構成された接続部材であって、
前記一対の壁パネルどうしの間の隙間をユニット内側から覆うように構成された、本体部と、
前記本体部の裏面から、前記壁パネルに対してユニット外側まで延在するように構成された、脚部と、
前記本体部の裏面からユニット外側へ向かって突出し、前記壁パネルに対してユニット内側で前記壁パネルと接触するように構成された、裏面側突起部と、
を備えた、接続部材。
【請求項２】
前記本体部は、
前記脚部と連結された中間部と、
前記中間部に対して前記本体部の幅方向外側に連結された、ひだ部と、
を有し、
前記裏面側突起部は、前記ひだ部の裏面からユニット外側へ向かって突出している、請求項１に記載の接続部材。
【請求項３】
前記裏面側突起部は、前記本体部の幅方向最外端に配置されている、請求項１又は２に記載の接続部材。
【請求項４】
前記接続部材が自然状態にあるとき、前記本体部の長手方向に垂直な断面において、前記裏面側突起部の外表面は、ユニット外側に凸の湾曲形状をなしている、請求項１〜３のいずれか一項に記載の接続部材。
【請求項５】
前記接続部材が自然状態にあるとき、前記本体部の長手方向に垂直な断面において、前記本体部の裏面は、少なくとも前記本体部の幅方向外側端部において、ユニット外側に凸の湾曲形状をなしている、請求項１〜４のいずれか一項に記載の接続部材。
【請求項６】
前記本体部の表面からユニット内側へ向かって突出した、表面側突起部を、さらに備え、
前記表面側突起部は、前記裏面側突起部と同じ前記本体部の幅方向位置に配置されている、請求項１〜５のいずれか一項に記載の接続部材。
【請求項７】
前記本体部は、
前記脚部と連結された中間部と、
前記中間部に対して前記本体部の幅方向外側に連結された、ひだ部と、
を有し、
前記中間部は、その少なくとも一部分が、硬質材料から構成されており、
前記ひだ部及び前記裏面側突起部は、前記硬質材料よりも軟らかい軟質材料から構成されている、請求項１〜６のいずれか一項に記載の接続部材。
【請求項８】
前記脚部は、
脚本体部と、
脚ひだ部と、
を有し、
前記脚本体部は、硬質材料から構成されており、
前記脚ひだ部は、前記硬質材料よりも軟らかい軟質材料から構成されている、請求項１〜７のいずれか一項に記載の接続部材。
【請求項９】
一対の壁パネルと、
前記一対の壁パネルどうしの間に配置された、請求項１〜８のいずれか一項に記載の接続部材と、
を備えた、ユニットルーム。
【発明の詳細な説明】
【技術分野】
【０００１】
本発明は、接続部材及びユニットルームに関する。
【背景技術】
【０００２】
従来より、ユニットルームの一種であるユニットバスにおいては、一対の壁パネルどうしの間に接続部材が配置されることがある（例えば、特許文献１）。このような接続部材は、ユニット内側に面する本体部と、本体部の裏面から、壁パネルに対してユニット外側まで延在する、脚部と、を有しており、本体部が、その幅方向外側の端部に、ひだ部（密着片）を有している。
【先行技術文献】
【特許文献】
【０００３】
【特許文献１】特開２０１１−２３６５６８号公報
【発明の概要】
【発明が解決しようとする課題】
【０００４】
しかしながら、従来の接続部材においては、例えば、施工時又は施工後において、本体部の幅方向端部（主に、ひだ部）が本体部の残りの部分と壁パネルとの間に巻き込まれる現象（以下、「巻き込み」ともいう。）が生ずるおそれがあり、施工のやり直しを要する場合があった。
【０００５】
本発明は、接続部材の巻き込みを抑制できる、接続部材及びユニットルームを、提供することを目的とする。
【課題を解決するための手段】
【０００６】
本発明の接続部材は、
一対の壁パネルどうしの間に配置されるように構成された接続部材であって、
前記一対の壁パネルどうしの間の隙間をユニット内側から覆うように構成された、本体部と、
前記本体部の裏面から、前記壁パネルに対してユニット外側まで延在するように構成された、脚部と、
前記本体部の裏面からユニット外側へ向かって突出し、前記壁パネルに対してユニット内側で前記壁パネルと接触するように構成された、裏面側突起部と、
を備えている。
本発明の接続部材によれば、接続部材の巻き込みを抑制できる。
【０００７】
本発明の接続部材においては、
前記本体部は、
前記脚部と連結された中間部と、
前記中間部に対して前記本体部の幅方向外側に連結された、ひだ部と、
を有し、
前記裏面側突起部は、前記ひだ部の裏面からユニット外側へ向かって突出していると、好適である。
これによれば、接続部材の巻き込みをより効果的に抑制できる。
【０００８】
本発明の接続部材においては、
前記裏面側突起部は、前記本体部の幅方向最外端に配置されていると、好適である。
これによれば、接続部材の巻き込みをより効果的に抑制できる。
【０００９】
本発明の接続部材においては、
前記接続部材が自然状態にあるとき、前記本体部の長手方向に垂直な断面において、前記裏面側突起部の外表面は、ユニット外側に凸の湾曲形状をなしていると、好適である。
これによれば、止水性を向上できる。
【００１０】
本発明の接続部材においては、
前記接続部材が自然状態にあるとき、前記本体部の長手方向に垂直な断面において、前記本体部の裏面は、少なくとも前記本体部の幅方向外側端部において、ユニット外側に凸の湾曲形状をなしていると、好適である。
これによれば、接続部材の巻き込みをより効果的に抑制できる。
【００１１】
本発明の接続部材においては、
前記本体部の表面からユニット内側へ向かって突出した、表面側突起部を、さらに備え、
前記表面側突起部は、前記裏面側突起部と同じ前記本体部の幅方向位置に配置されていると、好適である。
これによれば、接続部材の巻き込みをより効果的に抑制できる。
【００１２】
本発明の接続部材においては、
前記本体部は、
前記脚部と連結された中間部と、
前記中間部に対して前記本体部の幅方向外側に連結された、ひだ部と、
を有し、
前記中間部は、その少なくとも一部分が、硬質材料から構成されており、
前記ひだ部及び前記裏面側突起部は、前記硬質材料よりも軟らかい軟質材料から構成されていると、好適である。
これによれば、止水性を向上できるとともに、接続部材の位置ずれや抜けをより確実に防止できる。
【００１３】
本発明の接続部材においては、
前記脚部は、
脚本体部と、
脚ひだ部と、
を有し、
前記脚本体部は、硬質材料から構成されており、
前記脚ひだ部は、前記硬質材料よりも軟らかい軟質材料から構成されていると、好適である。
これによれば、止水性を向上できるとともに、接続部材の位置ずれや抜けをより確実に防止できる。
【００１４】
本発明のユニットルームは、
一対の壁パネルと、
前記一対の壁パネルどうしの間に配置された、上記の接続部材と、
を備えている。
本発明のユニットルームによれば、接続部材の巻き込みを抑制できる。
【発明の効果】
【００１５】
本発明によれば、接続部材の巻き込みを抑制できる、接続部材及びユニットルームを、提供することができる。
【図面の簡単な説明】
【００１６】
【図１】本発明の一実施形態に係る接続部材を備えた、本発明の一実施形態に係るユニットルームの一部を、水平断面とともに示す、部分断面斜視図である。
【図２】図１の一部を拡大して示す、水平断面図である。
【図３】図１の接続部材が、自然状態にあるときの様子を示す、接続部材の長手方向に垂直な断面図である。
【図４】図１の接続部材及び壁パネルを、図１のＡ−Ａ線に沿う断面により示す、鉛直断面図である。
【図５】図５（ａ）〜図５（ｃ）は、それぞれ、本発明の第１変形例〜第３変形例に係る接続部材を説明するための図である。
【図６】図６（ａ）〜図６（ｃ）は、それぞれ、本発明の第４変形例〜第６変形例に係る接続部材を説明するための図である。
【図７】図７（ａ）〜図７（ｂ）は、それぞれ、本発明の第７変形例〜第８変形例に係る接続部材を説明するための図である。
【図８】従来の接続部材における巻き込みを説明するための図である。
【図９】従来の接続部材における波うちを説明するための図である。
【図１０】従来の接続部材における片側端部立ちを説明するための図である。
【発明を実施するための形態】
【００１７】
本発明の接続部材は、ユニットルームに好適に利用できるものであり、特に、ユニットバス等の浴室、浴槽の無いシャワールーム、トイレ等に好適に利用できるものである。
本発明のユニットルームは、特に、ユニットバス等の浴室、浴槽の無いシャワールーム、トイレ等に好適に利用できるものである。
ここで、「ユニットルーム」とは、工場から箱体の形状で施工現場に運ばれるタイプのものに限定されず、プレハブされた部材を、施工現場で組み立てて部屋にするタイプのものも含まれる。
以下に、図面を参照しつつ、本発明に係る接続部材、及び、ユニットルームの実施形態を例示説明する。
【００１８】
まず、図１〜図４を参照しながら、本発明の一実施形態に係る接続部材１０およびユニットルーム１について説明する。
本実施形態のユニットルーム１は、ユニットバス（以下、「ユニットバス１」と表記する）として構成されており、本実施形態の接続部材１０を備えている。
図１及び図２では、ユニットバス１の四隅のコーナー部のうち１つのみを示している。ユニットバス１の他のコーナー部については、図１及び図２に示す構成と同様に構成するとよい。ユニットバス１は、浴槽（図示せず）と、洗い場を構成する床パン５０と、複数の壁パネル３０と、１つ又は複数の天井パネル（図示せず）と、接続部材１０と、を備えており、浴室全体を構成している。ここで、壁パネル３０とは、収納パネルやドアも含む。床パン５０、壁パネル３０、天井パネル（図示せず）は、例えば、ＦＲＰ等の材料からなる部材で形成されている。浴槽と洗い場（床パン５０）とは、一体に構成されてもよいし、別体に構成されてもよい。接続部材１０は、ユニットバス１の四隅のコーナー部において、互いに垂直に指向された一対の壁パネル３０どうしの間に配置されている。ただし、接続部材１０は、ユニットバス１の四隅のコーナー部以外の箇所において、一対の壁パネル３０どうしの間に配置されてもよい。接続部材１０は、一対の壁パネル３０どうしを接続する機能を有するとともに、止水機能も有するものである。
【００１９】
ユニットバス１の四隅のコーナー部には、それぞれ鉛直方向に延在する支柱４０が設置されている。支柱４０の下端は、防水パン（図示せず）等に固定されている。支柱４０の上端には、天井パネル（図示せず）が組み付けられている。
支柱４０どうしの間には、壁パネル３０及びドア（図示せず）が組み付けられている。より具体的には、図１及び図２の例では、壁パネル３０には、ユニット外側の面（裏面）に、壁パネル３０の外周縁に沿ってフランジ３１が形成されているとともに、フランジ３１より内周側には、補強用のリブ３２が形成されている。一方、支柱４０は、水平断面において、略四角形状をなしており、その最もユニット内側に隣接する角部において、支柱４０の内側へそれぞれ折り返された一対の爪部４１を有しており、これら一対の爪部４１どうしの間が開放されている。支柱４０の一対の爪部４１は、それぞれ、隣接する壁パネル３０の裏面の幅方向端部において鉛直方向に延在するフランジ３１と、このフランジ３１に隣接するとともに鉛直方向に延在するリブ３２との間に、入り込んだ状態で、フランジ３１の内面（リブ３２との対向面）に係合されている。互いに隣接する一対の壁パネル３０は、このようにして、互いに直角に指向された状態で、支柱４０に組み付けられている。
【００２０】
なお、本明細書において、ユニットバス（ユニットルーム）１の説明をするにあたって、「裏」とは、ユニットバス１のユニット外側を指しており、「表」とは、ユニットバス１のユニット内側を指している。また、本明細書において、接続部材１０の説明をするにあたって、「裏」とは、接続部材１０が一対の壁パネル３０どうしの間に配置されてユニットバス１の一部を構成しているときの、ユニットバス１のユニット外側を指しており、「表」とは、接続部材１０が一対の壁パネル３０どうしの間に配置されてユニットバス１の一部を構成しているときの、ユニットバス１のユニット内側を指している。
【００２１】
図１及び図２の例では、ユニットバス１の四隅のコーナー部において、互いに隣接する一対の壁パネル３０の幅方向端部どうしの間には、隙間が形成されており、この隙間には、接続部材１０が配置されている。接続部材１０は、一対の壁パネル３０どうしの間の隙間に沿うように、接続部材１０の長手方向ＬＤが鉛直方向となるように指向されている。接続部材１０は、一対の壁パネル３０どうしの間での止水性を確保する機能を有している。
図の例において、接続部材１０は、例えば押出成形によって形成されており、その長手方向ＬＤに垂直な断面における形状が、接続部材１０の全長にわたって一様である。これにより、仮に接続部材１０の長手方向ＬＤに垂直な断面における形状が長手方向ＬＤに一様ではない場合に比べて、より確実に壁パネル３０に密着でき、ひいては、止水性を向上できる。
接続部材１０は、一対の壁パネル３０どうしの間の隙間をユニット内側から覆うように構成された、本体部１１０と、本体部１１０の裏面（ユニット外側の面）から、壁パネル３０どうしの間の隙間を通って、壁パネル３０に対してユニット外側まで延在するように構成された、脚部１２０と、本体部１１０の裏面からユニット外側へ向かって突出し、壁パネル３０に対してユニット内側で壁パネル３０と接触するように構成された、裏面側突起部１３０と、を備えている。
【００２２】
なお、本明細書において、接続部材１０の長手方向ＬＤは、接続部材１０の本体部１１０の長手方向ＬＤでもあるものとする。また、本体部１１０の幅方向ＷＤは、接続部材１０の幅方向ＷＤでもあるものとする。本体部１１０の幅方向ＷＤは、図３に示すように、本体部１１０の幅方向ＷＤ両側の最外端（先端）どうしを結ぶ直線の延在方向であるものとする。
以下では、便宜のため、接続部材１０（の本体部１１０）の長手方向ＬＤを、単に「長手方向ＬＤ」といい、接続部材１０（の本体部１１０）の幅方向ＷＤを、単に「幅方向ＷＤ」ということがある。
また、「幅方向ＷＤ外側」とは、本体部１１０の幅方向中心線Ｃ（ひいては、接続部材１０の幅方向中心線Ｃ）から離れる側を指す。一方、「幅方向ＷＤ内側」とは、本体部１１０の幅方向中心線Ｃ（ひいては、接続部材１０の幅方向中心線Ｃ）に近い側を指す。
【００２３】
図３は、図１の接続部材１０が、自然状態にあるときの様子を示す、長手方向ＬＤに垂直な断面図である。ここで、接続部材１０について、「自然状態」とは、接続部材１０に外力が加わっていない状態、ひいては、接続部材１０が一対の壁パネル３０の間に配置されていない状態を指す。
接続部材１０の本体部１１０は、上述のように、一対の壁パネル３０どうしの間の隙間をユニット内側から覆うように構成されている。本体部１１０は、脚部１２０と連結された中間部１１１と、中間部１１１に対して本体部１１０の幅方向ＷＤ外側に連結された、ひだ部１１２と、を有している。図３に示すように、接続部材１０は、ひだ部１１２を、中間部１１１に対して幅方向ＷＤの両側に１つずつ（計２つ）有している。図２に示すように、本体部１１０のうち、中間部１１１は、一対の壁パネル３０どうしの間の隙間に対向するように配置され、中間部１１１の両側のひだ部１１２は、それぞれ対応するほうの壁パネル３０の表面（ユニット内側の面）に対向するように配置される。ひだ部１１２は、本体部１１０よりも厚みが薄くされており、これにより、ひだ部１１２は、本体部１１０よりも変形し易く構成されている。より具体的に、図の例において、ひだ部１１２は、本体部１１０との連結端から幅方向ＷＤ外側に向かうにつれて厚みが漸減するように構成されている。
なお、本実施形態の接続部材１０は、本体部１１０の幅方向ＷＤ両側の端部に、厚みが薄くされたひだ部１１２を有しているため、仮に本体部１１０がその幅方向ＷＤの全長にわたって厚みが一定である場合に比べて、本体部１１０が壁パネル３０の表面に、より密着し易くなり、ひいては、止水性を向上できる。
【００２４】
裏面側突起部１３０は、上述のように、本体部１１０の裏面からユニット外側へ向かって突出し、壁パネル３０に対してユニット内側で壁パネル３０と接触するように構成されている。図３に示すように、接続部材１０は、裏面側突起部１３０を、本体部１１０の幅方向中心線Ｃの両側に１つずつ（計２つ）有している。図３の例において、裏面側突起部１３０は、本体部１１０のうち、ひだ部１１２の裏面１１２ｂｆ（ユニット外側の面）から、ユニット外側へ向かって突出している。
ただし、裏面側突起部１３０は、壁パネル３０に対してユニット内側で壁パネル３０と接触するように構成されている限り、本体部１１０のうち、中間部１１１の裏面１１１ｂｆから、ユニット外側へ向かって突出していてもよい。
裏面側突起部１３０は、壁パネル３０に対してユニット内側で止水する機能を有する。
【００２５】
脚部１２０は、上述のように、本体部１１０の裏面（ユニット外側の面）から、壁パネル３０どうしの間の隙間を通って、壁パネル３０に対してユニット外側まで延在するように構成されている。図３に示すように、本例において、接続部材１０は、脚部１２０を、本体部１１０の幅方向中心線Ｃの両側に１つずつ（計２つ）有している。図３の例において、脚部１２０は、本体部１１０の裏面から、壁パネル３０に対してユニット外側まで延在するように構成された、脚本体部１２１と、壁パネル３０に対してユニット外側で、脚本体部１２１から幅方向ＷＤ外側へ延在するように構成された、脚ひだ部１２２と、を有している。
本例において、脚部１２０は、図１及び図２に示すように、壁パネル３０に対してユニット外側で壁パネル３０と接触するように構成されている。より具体的に、本例では、脚部１２０の脚ひだ部１２２が、脚部１２０に対し幅方向ＷＤ外側に隣接する壁パネル３０のフランジ３１に、接触するように構成されている。これにより、脚部１２０は、壁パネル３０に対してユニット外側で止水する機能を有する。また、これにより、脚部１２０は、本体部１１０の裏面側突起部１３０との間に、壁パネル３０を介在させることができ、ひいては、接続部材１０が一対の壁パネル３０の間の隙間から抜けるのを抑制する機能も有する。
なお、接続部材１０は、脚部１２０を１つのみ有していてもよい。その場合、脚部１２０は、例えば、脚本体部１２１が、本体部１１０の幅方向中心線Ｃ上を延在し、脚ひだ部１２２が、脚本体部１２１から幅方向ＷＤ両側へ延在し、一対の壁パネル３０に接触するように設けられる。
また、脚ひだ部１２２は、図１及び図２に示す例では、壁パネル３０に直接接触されるが、他の部材を介して壁パネル３０に接触されてもよい。
【００２６】
なお、接続部材１０は、本体部１１０、脚部１２０、及び裏面側突起部１３０が、互いに一体に形成されている。そのため、本体部１１０の裏面１１０ｂｆには、脚部１２０及び裏面側突起部１３０が一体に連結されている。本体部１１０と脚部１２０との境界面（ひいては、本体部１１０の裏面１１０ｂｆの一部を構成する仮想面）は、本体部１１０の裏面１１０ｂｆのうち、脚部１２０に隣接する部分から、脚部１２０に向かって滑らかに延長させた仮想面（図３における破線）によって規定されるものとする。また、本体部１１０と裏面側突起部１３０との境界面（ひいては、本体部１１０の裏面１１０ｂｆの一部を構成する仮想面）は、本体部１１０の裏面１１０ｂｆのうち、裏面側突起部１３０に隣接する部分から裏面側突起部１３０に向かって滑らかに延長させた仮想面（図３における破線）によって規定されるものとする。
【００２７】
接続部材１０が施工される際には、例えば、予め支柱４０どうしの間に壁パネル３０が組み付けられた後に、互いに垂直に配置された一対の壁パネル３０どうしの間の隙間に、本体部１１０の表面１１１ｆｆがユニット内側を向いた状態で、ユニット内側から打ち込まれ、これら一対の壁パネル３０に対して圧接される。このとき、図１及び図２に示すように、一対の裏面側突起部１３０がそれぞれ対応する壁パネル３０の表面（ユニット内側の面）に接触するとともに、一対の脚部１２０の脚ひだ部１２２が、これら一対の壁パネル３０に対してユニット外側で、それぞれ対応する壁パネル３０（具体的にはフランジ３１）に接触する。このようにして、接続部材１０は、これら一対の壁パネル３０の間に装着される。
【００２８】
つぎに、本実施形態の作用効果を説明する。
本実施形態の接続部材１０によれば、本体部１１０の裏面に、壁パネル３０と接触するように構成された裏面側突起部１３０を備えているので、接続部材１０の巻き込みを抑制することができる。
ここで、図８（ａ）及び図８（ｂ）を参照しながら、裏面側突起部１３０を有していない従来の接続部材１０’において生じるおそれのあった、巻き込みについて、説明する。図８は、従来の接続部材１０’を、一対の壁パネル３０どうしの間に装着した状態で示しており、図８（ａ）は、水平断面とともに示す斜視図であり、図８（ｂ）は、図８（ａ）のＢ−Ｂ線に沿う水平断面図である。図８（ａ）及び図８（ｂ）では、簡単のため、接続部材１０’のうち本体部１１０’のみを示しており、脚部の図示を省略している。本体部１１０’は、その幅方向ＷＤの両側に、ひだ部１１２’を有している。巻き込みとは、図８に示すように、接続部材１０’が、壁パネル３０どうしの間に打ち込まれた時又はその後において、本体部１１０’の幅方向端部（主に、比較的薄く動きやすい、ひだ部１１２’）が裏側へ折り返されて、本体部１１０’の残りの部分と壁パネル３０との間に巻き込まれる、という現象である。従来の接続部材１０’は、本体部１１０’の幅方向端部が薄く平坦であったため、巻き込みが生じやすく、ひいては、接続部材１０の施工のやり直しを要する場合があった。
一方、本実施形態の接続部材１０によれば、裏面側突起部１３０を備えているので、本体部１１０’の幅方向端部が裏側へ折り返されにくくなり、ひいては、巻き込みを生じにくくすることができる。よって、施工のやり直しを低減できる。
【００２９】
また、本実施形態の接続部材１０によれば、本体部１１０の裏面に、壁パネル３０と接触するように構成された裏面側突起部１３０を備えているので、接続部材１０の波うちを抑制することもできる。
ここで、図９（ａ）及び図９（ｂ）を参照しながら、裏面側突起部１３０を有していない従来の接続部材１０’において生じるおそれのあった、波うちについて、説明する。図９は、従来の接続部材１０’を、一対の壁パネル３０どうしの間に装着した状態で示しており、図９（ａ）は、水平断面とともに示す斜視図であり、図９（ｂ）は、図９（ａ）のＣ−Ｃ線に沿う鉛直断面である。図９（ａ）及び図９（ｂ）では、簡単のため、接続部材１０’のうち本体部１１０’のみを示しており、脚部の図示を省略している。波うちとは、図９に示すように、例えば、壁パネル３０の表面（ユニット内側の面）が、壁パネル３０の幅方向に延在する複数の突条部３３が上下方向に沿って配列されてなるテクスチャー（凹凸模様）を有する場合、施工後の時間の経過に伴い、あるいは、施工後に大工工事等によって壁パネル３０が揺らされることにより、本体部１１０’（主に、比較的薄い、ひだ部１１２’）が、壁パネル３０のテクスチャーになじんでくる結果、本体部１１０’（主に、比較的薄い、ひだ部１１２’）に、壁パネル３０のテクスチャーと同様の凹凸模様が現れ、本体部１１０’の表面が波うっているように観える、という現象である。従来の接続部材１０’は、本体部１１０’の幅方向端部（特に、ひだ部１１２’）が薄く構成されていたため、そこで波うちが生じやすく、ひいては、接続部材１０の施工のやり直しを要する場合があった。
一方、本実施形態の接続部材１０によれば、本体部１１０の裏面に、壁パネル３０と接触するように構成された裏面側突起部１３０を備えているので、本体部１１０の幅方向端部の延在方向ＬＤの剛性を高めることができる。それにより、図４の鉛直断面に示すように、本体部１１０の幅方向端部が壁パネル３０の表面の凹凸模様になじみにくくなり、ひいては、波うちを生じにくくすることができる。よって、施工のやり直しを低減できる。
なお、仮に、壁パネル３０の表面のテクスチャー（凹凸模様）が、図９に示すテクスチャー以外のものであっても、同様に、裏面側突起部１３０によって、本体部１１０が壁パネル３０の表面の凹凸模様になじむのを抑制できる。
【００３０】
また、本実施形態の接続部材１０によれば、本体部１１０の裏面に、壁パネル３０と接触するように構成された裏面側突起部１３０を備えているので、接続部材１０の片側端部立ちを抑制することもできる。
ここで、図１０を参照しながら、裏面側突起部１３０を有していない従来の接続部材１０’において生じるおそれのあった、片側端部立ちについて、説明する。図１０は、従来の接続部材１０’を、一対の壁パネル３０どうしの間に装着した状態で示している。片側端部立ちとは、図１０に示すように、本体部１１０’が、一方側の壁パネル３０に対しては広い面で接触しているのに対し、他方側の壁パネル３０に対しては、本体部１１０の幅方向ＷＤの最外端（先端）のみで、線で接触しており、その結果、本体部１１０’の幅方向ＷＤの両側で、壁パネル３０との接触のし方に、ばらつきが見られる、という現象である。片側端部立ちが生じた場合、接続部材１０の施工のやり直しを要する場合があった。
一方、本実施形態の接続部材１０によれば、裏面側突起部１３０を備えているので、本体部１１０は、幅方向ＷＤの両側で、裏面側突起部１３０が壁パネル３０に対して線で接触することとなる。このため、本体部１１０の幅方向ＷＤの両側で、壁パネル３０との接触のし方にばらつきが出るのを抑制できる。よって、施工のやり直しを低減できる。
【００３１】
上述した巻き込み、波うち、片側端部立ちは、もともと、本体部１１０’のうち、とくに厚みが薄くされたひだ部１１２’で生じやすい。
一方、図３の例では、裏面側突起部１３０が、本体部１１０のうち、ひだ部１１２の裏面１１２ｂｆに設けられているので、仮に裏面側突起部１３０が中間部１１１のみに設けられている場合に比べて、より効果的に、巻き込み、波うち、片側端部立ちをそれぞれ生じにくくすることができる。
同様に、接続部材１０の巻き込み、波うち、片側端部立ちを生じにくくする観点からは、図３に示すように、裏面側突起部１３０は、本体部１１０の幅方向ＷＤ最外端（先端）に配置されていると、さらに好適である。
ただし、裏面側突起部１３０は、接続部材１０が一対の壁パネル３０の間に打込まれたときに、壁パネル３０に対してユニット内側で壁パネル３０と接触するように構成されている限り、ひだ部１１２ではなく中間部１１１の裏面１１１ｂｆに設けられてもよい。その場合でも、接続部材１０には、巻き込み、波うち、片側端部立ちのそれぞれが生じにくくなる。
【００３２】
図３の例において、接続部材１０は、本体部１１０のうち、中間部１１１がひだ部１１２よりも高い剛性を有している。より具体的には、中間部１１１が、硬質材料（例えば、硬質塩化ビニール等の硬質樹脂）から構成された裏面側部分１１１ｂと、前記硬質材料よりも軟らかい軟質材料（例えば、軟質塩化ビニール等の軟質樹脂）から構成された表面側部分１１１ｆとからなる、２層構造を有している。一方、ひだ部１１２及び裏面側突起部１３０は、その全体が、前記硬質材料よりも軟らかい軟質材料（例えば、軟質塩化ビニール等の軟質樹脂）から構成されている。図３の例では、ひだ部１１２及び裏面側突起部１３０を構成する軟質材料が、中間部１１１の表面側部分１１１ｆを構成する軟質材料と同じである。
このように、壁パネル３０に密着されるように構成されたひだ部１１２及び裏面側突起部１３０の剛性を比較的低くすることにより、止水性を向上できる。また、中間部１１１の剛性を比較的高くすることにより、接続部材１０が一対の壁パネル３０の間に打ち込まれた後に、一対の壁パネル３０の間にしっかりと嵌まった状態を維持でき、接続部材１０の位置ずれや抜けをより確実に防止できる。ひいては、壁パネル３０どうしをよりしっかりと接続できる。なお、図３の例に限らず、中間部１１１のうちの少なくとも一部分を上記硬質材料から構成する場合は、中間部１１１の全体的な剛性をひだ部１１２よりも高くすることができるので、図３の例と同様に、接続部材１０の位置ずれや抜けをより確実に防止できる。
また、図３の例において、接続部材１０は、脚部１２０のうち、脚本体部１２１が、脚ひだ部１２２よりも高い剛性を有している。より具体的には、脚本体部１２１が、硬質材料（例えば、硬質塩化ビニール等の硬質樹脂）から構成されており、脚ひだ部１２２が、前記硬質材料よりも軟らかい軟質材料（例えば、軟質塩化ビニール等の軟質樹脂）から構成されている。図３の例では、脚本体部１２１を構成する硬質材料が、中間部１１１の裏面側部分１１１ｂを構成する硬質材料と同じであり、また、脚ひだ部１２２を構成する軟質材料が、本体部１１０のひだ部１１２を構成する軟質材料と同じである。
このように、壁パネル３０に密着されるように構成された脚ひだ部１２２の剛性を比較的低くすることにより、止水性を向上でき、また、壁パネル３０からの力を吸収できる。また、脚本体部１２１の剛性を比較的高くすることにより、接続部材１０が一対の壁パネル３０の間に打ち込まれた後に、一対の壁パネル３０の間にしっかりと嵌まった状態を維持でき、接続部材１０の位置ずれや抜けをより確実に防止できる。ひいては、壁パネル３０どうしをよりしっかりと接続できる。
ただし、接続部材１０は、図３の例とは異なる剛性分布を有していてよい。例えば、中間部１１１は、その全体にわたって剛性が一様でもよい。また、接続部材１０の全体が一様の剛性を有していてもよい。
【００３３】
接続部材１０は、図３の例のように、自然状態にあるとき、本体部１１０の長手方向ＬＤに垂直な断面において、中間部１１１が、ユニット外側に凸の湾曲形状をなしていると、好適である。より具体的に、図３の例では、接続部材１０は、自然状態にあるとき、本体部１１０の長手方向ＬＤに垂直な断面において、中間部１１１の裏面１１１ｂｆ、厚み中心線１１１ｃｌ、及び表面１１１ｆｆのそれぞれが、ユニット外側に凸の湾曲形状をなしている。これにより、接続部材１０が一対の壁パネル３０の間に打ち込まれるときに、図２に示すように、中間部１１１が一対の壁パネル３０によって区画される直角形状に、よりフィットするように変形し易くなるので、よりしっかりと壁パネル３０に圧接されるようになる。これにより、止水性を向上できる。また、これにより、巻き込みがさらに生じにくくなる。
ただし、中間部１１１の形状は、図３の例に限られず、任意の形状でよい。例えば、中間部１１１の厚み中心線１１１ｃｌは、直線形状でもよい。
【００３４】
本発明の接続部材は、図１〜図４の例に係る接続部材１０に限られず、様々な変形例をも包含するものである。本発明の接続部材の変形例について、図５〜図７を参照しながら説明する。
図５（ａ）〜図５（ｃ）は、それぞれ、本発明の第１変形例〜第３変形例に係る接続部材１０を自然状態で示している。図６（ａ）〜図６（ｃ）は、それぞれ、本発明の第４変形例〜第６変形例に係る接続部材１０を自然状態で示している。図７（ａ）〜図７（ｂ）は、それぞれ、本発明の第７変形例〜第８変形例に係る接続部材１０を自然状態で示している。図５〜図７では、便宜のため、接続部材１０の幅方向中心線Ｃに対し片方側のみ図示しているが、接続部材１０は、幅方向中心線Ｃに対する両側で同様の構成を有するとよい。
以下の説明では、特に断りが無い限り、接続部材１０が自然状態にあり、本体部１１０の長手方向ＬＤに垂直な断面を観ているものとする。
【００３５】
図５（ａ）の例と図５（ｂ）の例は、それぞれ、図３の例とは、ひだ部１１２の形状のみが異なる。
図３の例では、ひだ部１１２は、幅方向ＷＤ外側に向かうにつれて厚みが漸減されているとともに、ひだ部１１２の厚み中心線１１２ｃｌと裏面１１２ｂｆとが、それぞれユニット外側に凸の湾曲形状をなしており、ひだ部１１２の表面１１２ｆｆが、幅方向ＷＤに平行である。また、図３の例では、ひだ部１１２の裏面１１２ｂｆが、中間部１１１の裏面１１１ｂｆから、曲率半径及び曲率中心が同一の円弧に沿って滑らかに連続している。一方、ひだ部１１２の厚み中心線１１２ｃｌと、中間部１１１の厚み中心線１１１ｃｌとは、曲率半径及び／又は曲率中心がそれぞれ異なる円弧に沿って延在している。
図５（ａ）の例では、ひだ部１１２は、幅方向外側に向かうにつれて厚みが漸減されているとともに、ひだ部１１２の裏面１１２ｂｆと厚み中心線１１２ｃｌと表面１１２ｆｆとのいずれもが、ユニット外側に凸の湾曲形状をなしている。また、図５（ａ）の例では、ひだ部１１２の裏面１１２ｂｆと厚み中心線１１２ｃｌと表面１１２ｆｆとが、それぞれ中間部１１１の裏面１１１ｂｆ、厚み中心線１１１ｃｌ、表面１１１ｆｆとは、曲率半径及び／又は曲率中心が互いに異なる円弧に沿って延在している。
図３や図５（ａ）の例のように、本体部１１０の裏面１１０ｂｆが、少なくとも本体部１１０の幅方向外側端部（特に、ひだ部１１２）において、ユニット外側に凸の湾曲形状をなしている場合は、本体部１１０の幅方向外側端部（特に、ひだ部１１２）を、裏側へ折り返しにくくすることができる。ひいては、巻き込みをより効果的に抑制できる。
ただし、図５（ｂ）の例のように、ひだ部１１２は、幅方向外側に向かうにつれて厚みが漸減されているとともに、ひだ部１１２の裏面１１２ｂｆと厚み中心線１１２ｃｌと表面１１２ｆｆとのいずれもが、ユニット内側に凸の湾曲形状をなしていてもよい。
【００３６】
図５（ｃ）の例は、接続部材１０が、本体部１１０の表面１１０ｆｆからユニット内側へ向かって突出した、表面側突起部１４０を、さらに備えている点のみ、図３の例とは異なる。図５（ｃ）の例において、表面側突起部１４０は、裏面側突起部１３０と同じ幅方向位置に配置されている。より具体的には、表面側突起部１４０の外表面と裏面側突起部１３０の外表面とが、１つの略円形状をなしている。図５（ｃ）の例では、表面側突起部１４０が、裏面側突起部１３０を構成する軟質材料と同じ軟質材料から構成されている。
この場合、図３の例に比べて、接続部材１０の巻き込み、波うち、片側端部立ちを、それぞれより効果的に抑制できる。また、この場合、図３の例に比べて、止水性を向上できる。
【００３７】
図６（ａ）〜図６（ｃ）の例は、それぞれ、図３の例とは、裏面側突起部１３０の外表面形状のみが異なる。
図３の例では、裏面側突起部１３０の外表面が、ユニット外側に凸の湾曲形状（略半円形状又は略楕円形状など）をなしている。
図６（ａ）の例では、裏面側突起部１３０の外表面が、ユニット外側に凸の略四角形状（略正方形又は略長方形）をなしている。
図６（ｂ）の例では、裏面側突起部１３０の外表面が、ユニット外側に凸の略台形形状をなしている。
図６（ｃ）の例では、裏面側突起部１３０の外表面が、ユニット外側に凸の略三形形状（略正三角形又は略二等辺三角形など）をなしている。
このように、裏面側突起部１３０の外表面形状は、ユニット外側に突出した形状である限り、任意の形状でよく、いずれの形状であっても、巻き込み、波うち、片側端部立ちを、それぞれ効果的に抑制できる。ただし、図３の例のように、裏面側突起部１３０の外表面が、ユニット外側に凸の湾曲形状をなしている場合、仮に裏面側突起部１３０の外表面が図６（ａ）〜図６（ｃ）の例のように角張った形状をなしている場合に比べて、壁パネル３０に、よりしっかりと密着できるので、巻き込み、波うち、片側端部立ちを、それぞれより効果的に抑制できる。
【００３８】
図７（ａ）〜図７（ｂ）の例は、それぞれ、裏面側突起部１３０が設けられていない点のみが、それぞれ図３、図５（ａ）の例とは異なる。
図７（ａ）〜図７（ｂ）の例のように、本体部１１０の裏面１１０ｂｆが、少なくとも本体部１１０の幅方向外側端部（特に、ひだ部１１２）において、ユニット外側に凸の湾曲形状をなしている場合は、裏面側突起部１３０が無くても、本体部１１０の幅方向外側端部（特に、ひだ部１１２）を、裏側（ユニット外側）へ折り返しにくくすることができる。ひいては、巻き込みをより効果的に抑制できる。
【００３９】
なお、上述した各例に限らず、例えば、図５（ａ）又は図５（ｂ）のひだ部１１２の構成と、図５（ｃ）の裏面側突起部１３０及び表面側突起部１４０の構成とを組み合わせたり、あるいは、図５（ａ）又は図５（ｂ）のひだ部１１２の構成と、図６（ａ）〜図６（ｃ）のいずれかの裏面側突起部１３０の構成とを組み合わせたりしてもよい。
【産業上の利用可能性】
【００４０】
本発明の接続部材は、ユニットルームに好適に利用できるものであり、特に、ユニットバス等の浴室、浴槽の無いシャワールーム、トイレ等に好適に利用できるものである。
本発明のユニットルームは、特に、ユニットバス等の浴室、浴槽の無いシャワールーム、トイレ等に好適に利用できるものである。
【符号の説明】
【００４１】
１：ユニットバス（ユニットルーム）、  １０、１０’：接続部材、  ３０：壁パネル、  ３１：フランジ、  ３２：リブ、  ３３：突条部、  ４０：支柱、  ４１：係合部、  ５０：床パン、  １１０、１１０’：本体部、  １１０ｂｆ：本体部の裏面、  １１０ｆｆ：本体部の表面、  １１１：中間部、  １１１ｂ：中間部の裏面側部分、  １１１ｆ：中間部の表面側部分、  １１１ｂｆ：中間部の裏面、  １１１ｃｌ：中間部の厚み中心線、  １１１ｆｆ：中間部の表面、  １１２、１１２’：ひだ部、  １１２ｂｆ：ひだ部の裏面、  １１２ｃｌ：ひだ部の厚み中心線、  １１２ｆｆ：ひだ部の表面、  １２０：脚部、  １２１：脚本体部、  １２２：脚ひだ部、  １３０：裏面側突起部、  １４０：表面側突起部、  Ｃ：接続部材の（本体部の）幅方向中心線、  ＬＤ：接続部材の（本体部の）長手方向、  ＷＤ：接続部材の（本体部の）幅方向
【図１】
2019108777.tif 000003
【図２】
2019108777.tif 000004
【図３】
2019108777.tif 000005
【図４】
2019108777.tif 000006
【図５】
2019108777.tif 000007
【図６】
2019108777.tif 000008
【図７】
2019108777.tif 000009
【図８】
2019108777.tif 000010
【図９】
2019108777.tif 000011
【図１０】
2019108777.tif 000012